(57)【要約】【課題】一般の市販マスクに極めて簡単に設置することが可能で、利用者が感染症予防及びマスク長時間使用の苦痛と息苦しさを解消でき、しかも経済的有利に利用できる空気圧マスク装置を提供する。【解決手段】本考案の空気圧マスク装置ＡＡは、利用者のマスクＢと、防菌、防ウイルス高性能フィルター２とイオン及びオゾン発生装置３を備えた空気圧装置１と、前記マスクＢと前記空気圧装置１とを連結する空気供給配管５と、前記空気供給配管５の前記マスクＢ側の内部に連接され、前記マスクＢ内に清浄な空気を多方向に噴射するノズル６とを備える。【選択図】図１
0003228847.tif 000002
【実用新案登録請求の範囲】
【請求項１】
利用者が保有するマスクに、防菌、防ウイルス高性能フィルターを備えた空気圧装置と、前記マスクと前記空気圧装置とを連結する空気供給配管と、前記空気供給配管の前記マスク側の内部に連接され、前記マスク内や利用者の周囲に清浄された空気を噴射するノズルとを備えることを特徴とする空気圧マスク装置。
【請求項２】
前記空気圧マスク装置の清浄な空気に、アロマオイル、フィトンチッドなどの抗ウイルス、除菌効果の高い森林エキス水溶液と酸素水を混合（少なくともどちらか１つ）することを特徴とする請求項１に記載の空気圧マスク装置。
【請求項３】
前記空気圧マスク装置に、殺菌効果のあるイオン、及びオゾン発生装置を設備し、マスク内や周囲に抗ウイルス、除菌効果の高い、空気を供給することを特徴とする請求項１または２に記載の空気圧マスク装置。
【請求項４】
利用者が携帯可能な小型軽量で電池、充電バッテリー、及び携帯電話、ＵＳＢでパソコンなどから電源で稼働ができることを特徴とする請求項１または２または３に記載の空気圧マスク装置。
【考案の詳細な説明】
【技術分野】
【０００１】  本考案は、空気圧マスク装置に関する。より詳しくは、マスク内に空気を送りマスク内の空気圧を上げるための空気圧マスク装置に関する。
【背景技術】
【０００２】  一般的なマスクは、目が粗く、顔との隙間ができるためウイルスや細菌などの侵入を防ぐことが難しいとされている。また、空気の通りが悪いため息苦しく、猛暑では暑くて長時間の装着は困難で、熱中症のリスクが増すなど問題がある。【０００３】  そこで、近年の新型コロナウィルス対策で種々高性能マスク感染予防製品が数多く提供されている。【０００４】  例えば、特許文献１には、マスクと顔の隙間をなくし高性能の防菌素材などを利用したマスクなどが開示されている。【０００５】  しかしながら、マスク不足の最中に新たなマスクを供給するには難しく、現在市販されている種々のマスクや、特許文献１に開示されているマスクなどは、通気性が悪く酸素欠乏による疲労の増加や、マスク本体に送風機構が設備されているため大きくて重いという欠点があり、さらに、高価なうえ使いすてなので経済的に負担が大きいなどの問題があった。
【先行技術文献】
【特許文献】
【０００６】
【特許文献１】特開２０１１−０００４１３
【考案の概要】
【考案が解決しようとする課題】
【０００７】  上述したような従来技術の問題点に鑑み、本考案は、一般マスクに極めて簡単に装着でき、マスク内や利用者の周囲にウイルス及び細菌、花粉等の侵入を防ぐと同時にマスクを殺菌することができ、さらに息苦しさや暑さを解消し、しかも経済的有利に利用できる空気圧マスク装置を提供することを課題とする。
【課題を解決するための手段】
【０００８】  本考案者は、防菌マスクの改良について鋭意検討を重ねた結果、マスクと、そのマスク内部へ空気を供給する空気供給源とを組み合わせて装置化することにより、前記課題を解決できることを見いだし、本考案を完成するに至った。【０００９】  すなわち、本考案によれば、利用者の保有するマスクと、防菌、防ウイルス高性能フィルターとイオン、及びオゾン発生装置を備えた空気圧装置と、前記マスクと前記空気圧装置とを連結する空気供給配管と、前記空気供給配管の前記マスク側の内部に連接され、前記マスク内や利用者の周囲に清浄な空気を多方向に噴射するノズルとを備えることを特徴とする空気圧マスク装置が提供される。【００１０】  本考案の空気圧マスク装置は、清浄な空気にアロマオイル、フィトンチッドなどの森林エキス水溶液、酸素水、及びイオンやオゾンなどの抗ウイルス、除菌効果の高い成分を混合するこが好ましく、携帯可能であり電池、充電バッテリー及び携帯電話、ＵＳＢでパソコンなどの電源で稼働できることが好ましい。
【考案の効果】
【００１１】  本考案の空気圧マスク装置は、市販や手作りなどのマスクに極めて簡単に装着することができ、マスク内の空間に清浄された空気を送ることでマスク内の空気圧が上昇し、マスクの素材や隙間から空気が勢いよく流出する。これは、精密機器などのクリーンルームで行う内部の圧を上げ、ルームの外側に空気を逃がすことで細菌やホコリが侵入を防止する技術に類似する。このことで外部からウイルス、細菌及びＰＭ２．５や花粉などのアレルギー源もマスクの内側に侵入できなくなり、マスクの隙間から目の方向に風を送ることで目の感染予防にもなる。また、マスク内の気圧上昇と酸素水の揮発により、酸素量が上がり、呼吸の補助をし続けるので息苦しくならず、通気することで高温にならないため、快適で猛暑日の使用でも熱中症の危険性を軽減できる。
さらに、各種アロマオイル、フィトンチッドなどの森林エキス水溶液や酸素水が、ミスト状に揮発し潤いと共に森林浴気分が味わえ、リラクゼーション効果がえられる。同時に酸素水、イオン、及びオゾンを添加することで、マスク内の空気環境を森林に近づけ、酸素濃度を上げ疲労回復や美容効果と口内、鼻腔内の抗ウイルスや除菌が行える。
加えて、利用者が市販のマスクに極めて簡単に着脱可能であり、食事の時にはメニューや衝立などに装着し、周囲の空気を清浄、除菌、抗ウイルスができる。また、お金やスマホなどの携帯物や買い物商品からの感染が問題視されているが、ノズルを携帯物に向け除菌性空気を吹付けたり、買い物袋に挿入させることで除菌、抗ウイルスが容易に行える。本体を衣類のポケットやハンドバッグに入れて携帯できるため、経済的に感染症予防ができ、その殺菌、消臭効果により常にマスク内を自動的に衛生管理が容易である。
【図面の簡単な説明】
【００１２】
【図１】空気圧マスク装置の全体構成を示す説明図である。（ａ）は正面から見た平面図であり、（ｂ）は装着部分の拡大した右側面図である。（ｃ）は空気圧装置の正面から見た平面図であり（ｄ）は空気圧装置右側面図である。
【図２】空気圧マスク装置の空気圧装置と電源の構成を示す説明図である。（ｅ）は乾電池、（ｆ）は携帯電話、（ｇ）はＵＳＢコネクターのそれぞれを正面から見た平面図である。
【図３】空気圧マスク装置を利用者に装着した平面図である。（ｈ）は胸ポケット、（ｉ）はバックパックやランドセルなどである。
【図４】空気圧マスク装置を周囲に装着にした平面図である。（ｊ）メニューや衝立など、（ｋ）はショッピングバッグなどである。
【考案を実施するための形態】
【００１３】  本考案の空気圧マスク装置を実施するための好ましい形態を図面に基づいて説明する。なお、本考案の空気圧マスク装置は本実施形態に限定されるものではない。
【００１４】  図１（ａ）に示すように、空気圧マスク装置ＡＡは、利用者ＡのマスクＢと、前記マスクＢと空気圧装置１とを連結する空気供給配管５と、前記空気供給配管５は、マスクＢ側の中央部に連接され、前記マスクＢ内部に清浄された空気を噴射するノズル６とを備えている。
【００１５】  本考案においては、前記のアロマオイル、フィトンチッドなどの森林エキス水溶液、酸素水の混合、または少なくとも１種が好ましく用いられる。そのような森林浴液の調製方法は特に限定されず、公知の方法に準じて調製することができる。本考案の空気圧マスク装置ＡＡでは、空気圧装置１に空気圧を発生させる送風機８が設備され、送風機８に装着された防菌、防ウイルス高性能フィルター２を使用して、清浄された空気をイオン、及びオゾン発生装置３と森林浴エキス発生フィルター４を設備し、送風機８から噴射された空気にイオン、及びオゾン混合と森林浴エキスの空気は、空気供給配管５でマスクＢ内に送り込まれる。森林浴エキス発生フィルター４にアロマオイル、フィトンチッド、酸素水を混合、または少なくとも１種を充填セットし、それらの森林浴水溶液を空気風で揮発させることにより、容易に発生させ長時間潤いを与えることができる。
【００１６】  利用者ＡのマスクＢに空気圧マスク装置ＡＡの設置方法は特に限定されないが、図３（ｈ）（ｉ）に示すように、利用者Ａが着衣するポケットやバッグ類に、設置することが好ましい。
【００１７】  また、図１（ａ）及び（ｂ）に示すように、空気圧マスク装置ＡＡは利用者Ａが着衣するマスクＢに空気供給配管５を脱着設備７で固定し噴射ノズル６をマスクＢの中央に設置し、マスク内に空間ができるよう形成する。
【００１８】  空気圧装置１は図２（ｅ）〜（ｇ）に示すように、電源コード９を介し、電池、充電バッテリー１０や携帯電話１１、ＵＳＢジャック１２でパソコンや車内から電源を確保できるためオフィス、車、電車、飛行機など長時間使用できる。
【００１９】  また、図１に示すように、本考案の空気圧マスク装置ＡＡは、空気圧装置１内部の空気の通り道にイオン、及びオゾン発生装置３と森林浴エキス発生フィルター４を設備し、送風機８から噴射された空気にイオン、及びオゾンと森林浴エキスが混ざった空気は、空気供給配管５でマスクＢ内に送り込まれる。
【００２０】  マスクＢに送り込まれたイオン、及びオゾンと森林浴エキスが混ざった空気は、噴射ノズル６で多方面に勢いよく噴射され。ウイルス、細菌及び花粉などの侵入を防ぐことができる。
【００２１】  図４に示すように、利用者が市販のマスクに極めて簡単に着脱可能であり、（ｊ）食事の時にはメニューや衝立などに装着し周囲の空気を清浄、除菌、抗ウイルスができる。また、（ｋ）お金やスマホなどの携帯物や買い物商品からの感染が問題視されているが、ノズルを携帯物に向け除菌性空気を吹付けたり、買い物袋に挿入させることで除菌、抗ウイルスが容易に行える。
【００２２】  空気圧マスク装置ＡＡは、送風機８に装着された防菌、防ウイルス高性能フィルター２を使用しているためマスクＢ内の空気は完璧なまでに清浄されているので安心して人と触れ合うことができる。
【００２３】  そのように発生した清浄された空気とイオン及びオゾンと森林エキスは、空気供給配管５を通り、空気供給配管５の端部にあるノズル６からマスクＢ内に噴霧される。空気供給配管５およびノズル６の材質は特に限定されず、例えば、合成樹脂製やアルミなどの金属製のものが挙げられる。空気供給配管５およびノズル６の形状、ノズル６とマスクＢとの接続方法も特に限定されない。
【００２４】  以上のように、本考案にかかる空気圧マスク装置は、利用者に安全な清浄された空気をいつでもどこでも簡便に供給することができるため、個人用途、及び業務用途の健康福祉機器、医療関係等の分野に広く適用できる。
【符号の説明】
【００２５】ＡＡ  空気圧マスク装置
Ａ    利用者
Ｂ    利用者のマスク
１    空気圧装置
２    防菌、防ウイルス高性能フィルター
３    イオン、及びイオン発生装置
４    森林浴エキス発生フィルター
５    空気供給配管
６    ノズル
７    脱着設備
８    送風機
９    電源コード
１０  電池、充電バッテリー
１１  携帯電話
１２  ＵＳＢジャック
１３  ポケット
１４  ランドセル、バックパック
【図１】
0003228847.tif 000003
【図２】
0003228847.tif 000004
【図３】
0003228847.tif 000005
【図４】
0003228847.tif 000006
【手続補正書】
【提出日】令和2年7月30日(2020.7.30)
【手続補正１】
【補正対象書類名】実用新案登録請求の範囲
【補正対象項目名】全文
【補正方法】変更
【補正の内容】
【実用新案登録請求の範囲】
【請求項１】
利用者が保有するマスクに、防菌、防ウイルス高性能フィルターを備えた空気圧装置と、前記マスクと前記空気圧装置とを連結する空気供給配管と、前記空気供給配管の前記マスク側の内部に連接され、前記マスク内や利用者の周囲に清浄された空気を噴射するノズルとを備えることを特徴とする空気圧マスク装置。
【請求項２】
前記空気圧マスク装置の清浄な空気に、アロマオイル、フィトンチッドなどの抗ウイルス、除菌効果の高い森林エキス水溶液、酸素水を混合することを特徴とする請求項１に記載の空気圧マスク装置。
【請求項３】
前記空気圧マスク装置に、殺菌効果のあるイオン、及びオゾン発生装置を設備し、マスク内や周囲に抗ウイルス、除菌効果の高い、空気を供給することを特徴とする請求項１または２に記載の空気圧マスク装置。
【請求項４】
利用者が携帯可能な小型軽量で電池、充電バッテリー、及び携帯電話、ＵＳＢでパソコンなどから電源で稼働ができることを特徴とする請求項１または２または３に記載の空気圧マスク装置。